(57)【要約】【課題】空気調和機の運転によるヒートポンプ冷房運転と、外気導入のみによる外気冷房運転とを、交互に切換えて運転しても結露の発生を防止する。【解決手段】空気調和装置は、圧縮機を有し冷凍サイクルを構成して吸込空気を冷却して吹出すようにした空気調和機１と、室内空気を空気調和機に導くダクト８と、このダクトへの室内空気の流入を制御する吸気ダンパ６と、外気の前記室内への流入を制御する外気ダンパ７と、外気温度センサ３とを備える。また、ヒートポンプ運転で室内を冷房するヒートポンプ運転モードと、前記吸気ダンパ及び外気ダンパを制御して外気を室内に導入し、前記室内を冷房する外気冷房モードを備える。外気温度が低下してヒートポンプ運転モードから外気冷房モードに切り替える際、前記圧縮機の周波数を低下させて吹出温度を上昇させた後外気を室内に導入する。【選択図】図１
2011137597.tif 000002
【特許請求の範囲】
【請求項１】
圧縮機を有し冷凍サイクルを構成して吸込空気を冷却し吹出すようにした空気調和機と、室内空気を前記空気調和機に導くダクトと、このダクトへの室内空気の流入を制御する吸気ダンパと、前記室内への外気の流入を制御する外気ダンパと、外気の温度を検出する外気温度センサとを備える空気調和装置において、
前記空気調和機の圧縮機を駆動するヒートポンプ運転で室内を冷房するヒートポンプ運転モードと、
前記外気温度センサで検出された外気温度が予め定めた設定温度に達した場合、前記吸気ダンパ及び前記外気ダンパを制御して外気を室内に導入し、前記室内を冷房する外気冷房モードを備え、
前記ヒートポンプ運転モードから前記外気冷房モードに切り替える際、前記ヒートポンプ運転モードで動作中の前記圧縮機の周波数を低下させ、その後外気を室内に導入するように構成したことを特徴とする空気調和装置。
【請求項２】
圧縮機、室外熱交換器、膨張手段、室内熱交換器を順次冷媒配管で接続して冷凍サイクルを構成すると共に、室内空気を吸込み、熱交換器で冷却した後、送風機で前記室内に吹出す空気調和機と、室内空気を前記空気調和機に導くダクトと、このダクトへの室内空気の流入を制御するための吸気ダンパと、前記ダクトへの外気の流入を制御するための外気ダンパと、外気の温度を検出する外気温度センサとを備える空気調和装置において、
前記空気調和機の圧縮機を駆動するヒートポンプ運転で室内を冷房するヒートポンプ運転モードと、
前記吸気ダンパ及び前記外気ダンパを制御することで、前記空気調和機の送風機により外気を室内に導入して室内を冷房する外気冷房モードを備え、
前記ヒートポンプ運転モードから前記外気冷房モードに切り替える際、前記ヒートポンプ運転モードで動作中の前記圧縮機の周波数を一旦低下させ、その後前記外気ダンパを開いて外気を室内に導入するように構成したことを特徴とする空気調和装置。
【請求項３】
請求項１又は２において、前記空気調和機への吸込温度を検出する吸込温度センサと、前記空気調和機から吹出される吹出空気の温度を検出する吹出温度センサとを設け、前記ヒートポンプ運転モードから前記外気冷房モードに切り替える際、前記空気調和機からの吹出温度を検出して、外気を導入しても結露しない温度まで上昇してから切り替えることを特徴とする空気調和装置。
【請求項４】
請求項１〜３の何れかにおいて、情報通信機器類を格納する情報通信室の空調に使用されることを特徴とする空気調和装置。
【請求項５】
請求項１〜４の何れかにおいて、前記ヒートポンプ運転モードから前記外気冷房モードに切り替えるために、前記ヒートポンプ運転モードで動作中の前記圧縮機の周波数を低下させると共に、運転周波数に上限を設けることで、前記空気調和機からの吹出温度が外気を導入しても結露しない温度まで上昇させることを特徴とする空気調和装置。
【請求項６】
請求項１〜５の何れかにおいて、外気湿度センサを更に設け、外気温度及び外気湿度が予め定められた範囲の場合に外気を導入して前記外気冷房モードで運転を行うことを特徴とする空気調和装置。
【請求項７】
請求項１〜６の何れかにおいて、前記ヒートポンプ運転モードから前記外気冷房モードに切り替える際、前記圧縮機の周波数を一定時間低下させることで前記空気調和機からの吹出温度が、外気を導入しても結露しない温度まで上昇させるようにして切り替えることを特徴とする空気調和装置。
【請求項８】
請求項７において、前記外気温度センサで検出された外気温度が予め定めた設定温度（閾値）に達したら一定時間前記圧縮機の運転周波数を下げることを特徴とする空気調和装置。
【請求項９】
請求項１〜６の何れかにおいて、前記外気温度センサで検出された外気温度が予め定めた設定温度（閾値）に近づいてある一定の温度に達したら前記圧縮機の運転周波数を低下させ、外気導入しても結露しない温度まで空気調和機の吹出温度又は吹出口周辺の温度を上昇させる運転をし、その後前記閾値に達したら前記外気冷房モードに切替えることを特徴とする空気調和装置。
【請求項１０】
請求項９において、前記圧縮機の運転周波数を低下させた後一定時間経過しても前記閾値に達しないときには通常のヒートポンプ運転モードに戻り、一定時間は当該通常のヒートポンプ運転モードを続けることを特徴とする空気調和装置。
【発明の詳細な説明】
【技術分野】
【０００１】
本発明は、コンピュータやネットワーク機器などの情報通信機器類を格納している情報通信室や電算機室などの室内を冷房する空気調和装置に関する。
【背景技術】
【０００２】
従来の情報通信室向けの空気調和装置においては、ヒートポンプ式空気調和機の吹出し温度を制御することで室内冷房が行われていた。  
一方、特許文献１に示すように、外気を導入し、室内換気と併せて空調を行うようにした空気調和装置が知られており、この特許文献１のものでは、外気および室内の温湿度検知手段により外気導入量を制御している。
【０００３】
近年、特に、情報通信室などの空調を行う分野では省エネ化のニーズが高まっており、外気温度が空調対象の室温より低い条件では外気を導入して、空調負荷を賄う外気冷房モードを備えた空気調和装置の開発が望まれている。外気を導入して冷房すれば、省エネ化を図ることができるため、情報通信室向け空気調和装置の省エネ化のため、外気導入方式の空気調和装置が検討されている。
【先行技術文献】
【特許文献】
【０００４】
【特許文献１】特開２００６−２７５５０９号公報
【発明の概要】
【発明が解決しようとする課題】
【０００５】
しかし、情報通信室などの冷房のため、空気調和機の運転によるヒートポンプ運転モード（ヒートポンプ冷房運転）と、外気導入のみによる外気冷房モード（外気冷房運転）とを、単純に交互に切換えて運転を実施した場合、吹出温度が大幅に変動し、情報通信室内に結露が発生することが懸念される。
【０００６】
本発明の目的は、空気調和機の運転によるヒートポンプ冷房運転と、外気導入のみによる外気冷房運転とを、交互に切換えて運転しても結露の発生を防止できる空気調和装置を得ることにある。
【課題を解決するための手段】
【０００７】
上記目的を達成するため、本発明は、圧縮機を有し冷凍サイクルを構成して吸込空気を冷却し吹出すようにした空気調和機と、室内空気を前記空気調和機に導くダクトと、このダクトへの室内空気の流入を制御する吸気ダンパと、前記室内への外気の流入を制御する外気ダンパと、外気の温度を検出する外気温度センサとを備える空気調和装置において、前記空気調和機の圧縮機を駆動するヒートポンプ運転で室内を冷房するヒートポンプ運転モードと、前記外気温度センサで検出された外気温度が予め定めた設定温度に達した場合、前記吸気ダンパ及び前記外気ダンパを制御して外気を室内に導入し、前記室内を冷房する外気冷房モードを備え、前記ヒートポンプ運転モードから前記外気冷房モードに切り替える際、前記ヒートポンプ運転モードで動作中の前記圧縮機の周波数を低下させ、その後外気を室内に導入するように構成したことを特徴とする。
【０００８】
本発明の他の特徴は、圧縮機、室外熱交換器、膨張手段、室内熱交換器を順次冷媒配管で接続して冷凍サイクルを構成すると共に、室内空気を吸込み、熱交換器で冷却した後、送風機で前記室内に吹出す空気調和機と、室内空気を前記空気調和機に導くダクトと、このダクトへの室内空気の流入を制御するための吸気ダンパと、前記ダクトへの外気の流入を制御するための外気ダンパと、外気の温度を検出する外気温度センサとを備える空気調和装置において、前記空気調和機の圧縮機を駆動するヒートポンプ運転で室内を冷房するヒートポンプ運転モードと、前記吸気ダンパ及び前記外気ダンパを制御することで、前記空気調和機の送風機により外気を室内に導入して室内を冷房する外気冷房モードを備え、前記ヒートポンプ運転モードから前記外気冷房モードに切り替える際、前記ヒートポンプ運転モードで動作中の前記圧縮機の周波数を一旦低下させ、その後前記外気ダンパを開いて外気を室内に導入するように構成したことにある。
【０００９】
ここで、前記空気調和機への吸込温度を検出する吸込温度センサと、前記空気調和機から吹出される吹出空気の温度を検出する吹出温度センサとを設け、前記ヒートポンプ運転モードから前記外気冷房モードに切り替える際、前記空気調和機からの吹出温度を検出して、外気を導入しても結露しない温度まで上昇してから切り替えるようにすると良い。また、本発明は、情報通信機器類を格納する情報通信室の空調に使用して好適なものである。
【００１０】
上記において、前記ヒートポンプ運転モードから前記外気冷房モードに切り替えるために、前記ヒートポンプ運転モードで動作中の前記圧縮機の周波数を低下させると共に、運転周波数に上限を設けることで、前記空気調和機からの吹出温度が外気を導入しても結露しない温度まで上昇させるようにすることができる。
【００１１】
また、外気湿度センサを更に設け、外気温度及び外気湿度が予め定められた範囲の場合に外気を導入して前記外気冷房モードで運転を行うことが好ましい。
【００１２】
前記ヒートポンプ運転モードから前記外気冷房モードに切り替える際、前記圧縮機の周波数を一定時間低下させることで前記空気調和機からの吹出温度が、外気を導入しても結露しない温度まで上昇させるようにして切り替えると良い。ここで、前記外気温度センサで検出された外気温度が予め定めた設定温度（閾値）に達したら一定時間前記圧縮機の運転周波数を下げるようにすると良い。
【００１３】
また、前記外気温度センサで検出された外気温度が予め定めた設定温度（閾値）に近づいてある一定の温度に達したら前記圧縮機の運転周波数を低下させ、外気導入しても結露しない温度まで空気調和機の吹出温度又は吹出口周辺の温度を上昇させる運転をし、その後前記閾値に達したら前記外気冷房モードに切替えるようにすることもできる。ここで、前記圧縮機の運転周波数を低下させた後一定時間経過しても前記閾値に達しないときには通常のヒートポンプ運転モードに戻り、一定時間は当該通常のヒートポンプ運転モードを続けるようにすると良い。
【発明の効果】
【００１４】
本発明によれば、ヒートポンプ運転モードと、外気を室内に導入して室内を冷房する外気冷房モードとを備え、ヒートポンプ運転モードから外気冷房モードに切り替える際、ヒートポンプ運転モードで動作中の圧縮機の周波数を一旦低下させて空気調和機からの吹出温度を、外気を導入しても結露しない温度まで上昇させてから、外気を室内に導入するように構成しているので、空気調和機の運転によるヒートポンプ運転モードと、外気導入のみによる外気冷房モードとを、交互に切換えて運転しても結露の発生を防止できる空気調和装置を得ることができる。
【図面の簡単な説明】
【００１５】
【図１】本発明の空気調和装置の実施例１を示す構成図。
【図２】図１に示す空気調和機１の冷凍サイクル構成図。
【図３】本発明の実施例１における制御装置を示すブロック図。
【図４】本発明の実施例１における制御を説明する線図。
【図５】本発明の実施例１における制御を説明するフローチャート。
【発明を実施するための形態】
【００１６】
以下、本発明の具体的実施例を図面に基づき説明する。  
【実施例１】
【００１７】
図１は、本発明の空気調和装置の実施例１を示す構成図である。図において、Ｒはコンピュータやネットワーク機器などの情報通信機器類（図示せず）を格納している情報通信室、Ｒ１はその床下空間、Ｒ２はその天井空間である。１は前記情報通信室Ｒの床面Ｒ３上に設置された空気調和機で、この空気調和機１の吸込側には吸込ダクト８の一端が接続され、この吸込ダクト８の他端側は二股に分かれ、一方は、前記情報通信室Ｒ内の室内空気を前記天井空間Ｒ２を介して前記空気調和機１に取り入れることができるように、天井面Ｒ４に設けた室内空気取入口Ｒ５に接続されている。前記吸込ダクト８の他端側の二股に分かれている他方は、情報通信室Ｒに設けた室外空気取入口Ｒ６に接続されている。前記室内空気取入口Ｒ５には、この取入口を開閉したり開度を調節可能な吸気ダンパ６が設けられ、前記室外空気取入口Ｒ６には、この取入口を開閉したり開度を調節可能な外気ダンパ７が設けられている。なお、前記ダンパ６，７はそれぞれの取入口に近接したダクト内に設けるようにしても良い。
【００１８】
前記空気調和機１の吹出側は前記床下空間Ｒ１に開口され、空気調和された空気が床下空間Ｒ１を介して情報通信室Ｒ内に吹出すことができるように構成されている。前記空気調和機１内には室内熱交換器１５及び送風機１６などが設けられており、前記吸込ダクト８から空気調和機１に取入れられた空気は室内熱交換器１５で冷却され送風機１６により床下空間Ｒ１に吹出される。
【００１９】
また、前記空気調和機１内の吸込側には吸込温度センサ２が設けられ、更に室外空気取入口Ｒ６の吸込側或いは室外には外気温度センサ３が、前記空気調和機吹出側の床下空間Ｒ１には吹出温度センサ４と吹出湿度センサ５がそれぞれ設置されている。これらのセンサ２〜５での検出値は空気調和機１内に設けられた制御装置（図１には図示せず、図３参照）に送られる。
【００２０】
前記吸気ダンパ６と外気ダンパ７を開閉して、ヒートポンプ冷房運転と外気導入による外気冷房運転が行なわれる。即ち、ヒートポンプ冷房運転では、情報通信室内の空気を天井空間Ｒ２から吸気ダンパ６を介して吸込み、空気調和機１の圧縮機（図１には図示せず、図２参照）を駆動して、吸込んだ室内空気を空気調和機の熱交換器１５により冷却し、送風機１６により床下空間Ｒ１を介して再び情報通信室Ｒ内に吹出す。また、外気導入による外気冷房運転では、前記外気ダンパ７を介して外気を空気調和機１に導入し、前記送風機１６により外気を前記床下空間Ｒ１を介して情報通信室Ｒ内に吹出す。
【００２１】
外気導入による外気冷房運転時には、通常前記圧縮機を停止させ、吸気ダンパ６を閉じると共に外気ダンパ７を開いて運転を行うが、前記圧縮機を低速で運転するヒートポンプ冷房運転を併用するようにしても良い。この場合、吸気ダンパ６は閉じたままでも良く、或いは必要に応じて適切な開度に開くようにしても良い。なお、通常のヒートポンプ冷房運転を行う場合には吸気ダンパ６を全開とし、外気ダンパ７は全閉とする。
【００２２】
図２は、本実施例における空気調和機１の冷凍サイクル構成図を示す。本実施例では、空気調和機１を、１台の室内ユニット１ａ及び１台の室外ユニット１ｂによる１つの冷凍サイクルで構成した例で説明するが、これ以外の構成、例えば、冷凍サイクルを２つ設け、空調負荷により運転する冷凍サイクルの数を制御するようにしても良い。
【００２３】
前記室内ユニット１ａにおいて、９は圧縮機（９Ａは可変速圧縮機、９Ｂは一定速圧縮機を示す）、１０は圧縮機９の吐出側に設けられた油分離器、１４は圧縮機９の吸入側に設けられた膨張弁で、この膨張弁１４と圧縮機９との間には室内熱交換器１５及びアキュ−ムレ−タ１７が設けられている。１６は室内熱交換１５用の送風機、１８Ａ，１８Ｂは圧縮機９と油分離器１０との間に設けられた逆止弁、１９は油分離機１０で分離された油をアキュームレータ１７に戻すための油戻し回路で、この油戻し回路１９には油制御弁１９ａとキャピラリチューブ１９ｂが設けられている。２０はガス管２２との接続部に設けられたガス阻止弁、２１は液管２３との接続部に設けられた液阻止弁である。なお、図１に示す空気調和機１はこの室内ユニット１ａに相当している。
【００２４】
前記室外ユニット１ｂは、室外熱交換器１１、室外熱交換用の送風機１２及び冷媒量調整器１３等により構成されている。この室外ユニット１ｂは、前記室内ユニット１ａとは前記ガス管２２及び前記液管２３により接続されている。
【００２５】
次に、上記のように構成された冷凍サイクルにおける動作を説明する。まず、圧縮機９Ａ，９Ｂにより低温低圧の冷媒ガスを高温高圧に圧縮し、圧縮機から吐出された高温高圧の冷媒ガスは逆止弁１８Ａ，１８Ｂ、油分離器１０、ガス阻止弁２０及びガス管２２を経て、室外熱交換器１１に入り、ここで外気と熱交換されて凝縮し、液冷媒となる。この液冷媒は冷媒量調整器１３、液管２３及び液阻止弁２１を経て、室内ユニット側の膨張弁１４に入り減圧された後、室内熱交換器１５で室内空気と熱交換されて蒸発し、低圧ガス冷媒となる。この低圧ガス冷媒はアキュ−ムレ−タ１７を経て再び圧縮機９Ａ，９Ｂに吸入される。
【００２６】
図３は本実施例における空気調和装置の制御装置を示すブロック図である。本実施例による空気調和装置の制御装置は前記室内ユニット内の電気箱（図示せず）に内蔵されており、図１に示す吸込温度センサ２、外気温度センサ３及び吹出温度センサ４により検知された、空気調和機１への吸込温度、外気温度、及び空気調和機からの吹出温度の信号が、制御装置を構成する運転動作設定手段３０に入力され、これらの情報を基に、運転動作設定手段３０は、図２に示す冷凍サイクルを駆動してヒートポンプ冷房運転を行うか、或いは外気導入による外気冷房運転を行うかを決定する。この運転動作設定手段３０による決定に応じて、外気導入制御手段３１や空気調和機運転制御手段３２が動作する。
【００２７】
外気温度センサ３からの信号により、外気温度が空調対象の室内温度より低い予め定められた設定温度に達し、外気導入による外気冷房運転が選択された場合には、外気導入制御手段３１が作動し、図１に示す外気ダンパ７は開状態に制御されて、空気調和機１の送風機１６により、外気が床下空間Ｒ１を介して情報通信室Ｒ内に導入される。なお、外気導入による外気冷房運転が選択された場合には、吸気ダンパ６は閉じられ、図２に示す冷凍サイクルにおける圧縮機９は停止されるので、図１及び図２に示す室内熱交換器１５での熱交換は行われない。
【００２８】
外気温度が空調対象の室内温度より高いか同程度である場合には、外気導入による室内の冷房は困難であるため、ヒートポンプ冷房運転が選択される。この場合には、空気調和機運転制御手段３２が作動し、図１に示す外気ダンパ７は閉じられ、吸気ダンパ６が開状態に制御され、更に図２に示す冷凍サイクルの圧縮機９が駆動され、図１に示す天井空間Ｒ２から空気調和機１に導入された室内空気は熱交換器１５で冷媒と熱交換されて冷却され、送風機１６により床下空間Ｒ１を通じて室内に吹出される。
【００２９】
また、図２に示す圧縮機９は、図１に示す吸込温度センサ２や吹出温度センサ５からの信号に応じて、可変速圧縮機９Ａの回転数（周波数）が制御され、また一定速圧縮機９ＢのＯＮ−ＯＦＦ制御が為される。
【００３０】
図４は、本実施例における空気調和装置の動作の一例を、外気温度の変化に対して説明する図である。横軸は時間の経過を示し、この例では時間の経過と共に外気温度（実線のＡ）が低下していく場合の例を示している。外気が低くない条件（図の左半分で、例えば１８℃以上）では、ヒートポンプ冷房運転（ヒートポンプ運転モード）が実施され、空調負荷に応じて吸込・吹出温度制御や圧縮機の周波数制御が実施される。外気温度がある閾値（例えば１８℃）まで低下すると、圧縮機を停止してヒートポンプ冷房運転を停止し、代わって外気導入による外気冷房運転（外気冷房モード）が実施される。外気冷房運転では、温度の低い外気によって室内の空調負荷が賄われ、室内は外気により冷房される。
【００３１】
従来、外気温度が、例えば１８℃になるまで（ヒートポンプ冷房運転から外気冷房運転になるまでの間）は、圧縮機は、空気調和機への吸込温度や吹出温度に応じて制御されていたため、点線Ｂで示すように、ほぼ一定の高い周波数で運転されていた。このため、空気調和機からの吹出温度は、外気温度が１８℃の時点では、冷房能力が上昇することもあって、点線Ｃで示すように、低めの値(例えば１３℃)となっていた。
【００３２】
このヒートポンプ冷房運転の状態から、外気温度が１８℃になって、急に外気冷房運転に切り替ると、切り替わる前の吹出温度（１３℃）より高い温度の外気（１８℃）が空気調和機の送風機１６により、床下空間Ｒ１を通じて室内に導入される。空気調和機の吹出口周辺の温度は、外気冷房運転への切り替り時には前記吹出温度（１３℃）並みの低い温度であるため、１８℃の外気が流入すると外気は冷やされ、この外気導入時の外気温度と送風機吹出側との温度差が大きいと、導入された外気が露点温度に達し、吹出口周辺に結露を発生させる(例えば１８℃で相対湿度７５％の空気の露点温度は１３．４℃)。特に、情報通信室等の冷房においては、サーバ等に水がつくことによって電気系統の絶縁低下等、高価な機材や情報の損傷につながる問題を引き起こす虞がある。
【００３３】
これに対し本実施例では、ヒートポンプ冷房運転から外気冷房運転に切り替わる前に、圧縮機運転周波数を曲線Ｄで示すように低くし、冷房能力を低下させることで、吹出温度を曲線Ｆで示すように高めの値(例えば１５〜１６℃)にする。このような制御を行うことで、外気冷房モードに切り替って外気が室内に導入されても、外気と吹出温度との差を小さくすることができるから、外気が露点温度に達して結露するのを防止することができる。なお、図４で、曲線Ｅは本実施例における空気調和機への吸込温度を示している。
【００３４】
外気冷房運転に切り替わる前に、圧縮機周波数を曲線Ｄで示すように低くするタイミングとしては、例えば次の何れかの制御を取り入れると良い。
（i）外気温度が予め定めた設定温度（閾値）にある程度近づいたある一定の温度（例えば１８．５℃）に達したら圧縮機運転周波数を低下させ、外気導入しても結露しない温度（例えば１５〜１６℃）まで空気調和機の吹出温度又は空気調和機の吹出口周辺の温度を上昇させる運転をし、その後閾値（例えば１８℃）に達したら外気冷房運転に切替える。一定時間（例えば３０分）経過しても閾値に達しない場合にはヒートポンプ冷房運転に戻り、一定時間（例えば３０分）はヒートポンプ冷房運転を続けた後、再び前記と同様の動作を繰り返す。  
(ii)閾値（例えば１８℃）に達したら一定時間（例えば３０秒間）圧縮機運転周波数を下げ、外気導入しても結露を発生しない温度に空気調和機の吹出温度又は空気調和機の吹出口周辺の温度を上昇させてから外気冷房運転に切り替える。
【００３５】
本実施例の具体的制御例を図５に示すフローチャートで説明する。まず最初は、通常、ヒートポンプ運転モード（ヒートポンプ冷房運転）で運転が開始される（ＳＴ１）。ヒートポンプ運転モードでの運転が開始されると、図１に示す外気ダンパ７は閉じられ、吸気ダンパ６は開に制御され、空気調和機の圧縮機９が運転開始される（ＳＴ２）。この運転中に外気温度が低下し、ある閾値（１８℃）まで達すると（ＳＴ３）、図３に示す運転動作設定手段３０は外気冷房モード（外気冷房運転）に切り替える(ＳＴ４)。この切り替えの際、まず圧縮機周波数を低い値として（ＳＴ５）、一定時間（本実施例では３０秒）経過後（ＳＴ６）、外気ダンパを開とし、吸気ダンパを閉にするようダンパを切り換え、外気を導入すると共に、圧縮機を停止する(ＳＴ７)。外気冷房モードで運転中に、外気温度がある閾値（１８＋３℃）まで上昇すると（ＳＴ８）、再びヒートポンプ運転モードとなり、ダンパを切り替えて室内空気を導入すると共に、圧縮機を起動し、以下同様な制御が繰り返えされる。
【００３６】
図５に示す制御例では、ステップ６（ＳＴ６）において、３０秒経過すれば、空気調和機の吹出温度が高めの値となり、外気を導入しても、外気が露点温度に達して結露するのを防止できることを前提としている。しかし、より確実に結露を防止するためには、吹出温度が外気導入しても結露を発生しない温度になったことを吹出温度センサ４で確認してから外気冷房モードに切り替えるようにすると更に確実に結露を防止できる。
【００３７】
また、外気湿度センサ（図示せず）を更に設け、外気温度及び外気湿度が予め定められた範囲の場合に外気を導入して前記外気冷房モードで運転を行うようにすれば結露防止に効果的である。
【００３８】
以上説明した本実施例によれば、空気調和機の運転によるヒートポンプ運転モード（ヒートポンプ冷房運転）と、外気導入のみによる外気冷房モード（外気冷房運転）とを、交互に切換えて運転しても結露の発生を防止できる空気調和装置を得ることができる。
【００３９】
なお、情報通信室や電算機室の空調では、上述したように結露の発生を防止することで、サーバ等に水がつくことによる電気系統の絶縁低下等の問題を回避できるが、逆に冬季などに室内の湿度が低下（乾燥）しすぎると、静電気が発生し易くなりサーバ等の破損を生じる可能性がある。図１に示す実施例では吹出湿度センサ５を備えており、湿度も検出して湿度が設定値まで低下した場合には、加湿器（図示せず）などを用いて加湿し、静電気の発生も防止するようにしている。
【符号の説明】
【００４０】
１    空気調和機
２    吸込温度センサ
３    外気温度センサ
４    吹出温度センサ
５    吹出湿度センサ
６    吸気ダンパ
７    外気ダンパ
８    ダクト
９    圧縮機（９Ａ…可変速圧縮機、９Ｂ…一定速圧縮機）
１０  油分離器
１１  室外熱交換器
１２，１６  送風機
１３  冷媒量調整器
１４  膨張弁
１５  室内熱交換器
１６  送風機
１７  アキュ−ムレ−タ
１８  逆止弁
１９  油戻し回路（１９ａ…油制御弁、１９ｂ…キャピラリチューブ）
２０  ガス阻止弁
２１  液阻止弁
２２  ガス管
２３  液管
３０  運転動作設定手段
３１  外気導入制御手段
３２  空気調和機運転制御手段
Ａ    外気温度
Ｂ，Ｄ  圧縮機運転周波数
Ｃ，Ｆ  空気調和機吹出口周辺温度
Ｅ    空気調和機吸込温度
Ｒ    情報通信室（Ｒ１：床下空間、Ｒ２：天井空間、Ｒ３：床面、Ｒ４：天井面、Ｒ５：室内空気取入口、Ｒ６：室外空気取入口）。
【図１】
2011137597.tif 000003
【図２】
2011137597.tif 000004
【図３】
2011137597.tif 000005
【図４】
2011137597.tif 000006
【図５】
2011137597.tif 000007